(57)【要約】【課題】芳香剤の香りが早期に消失してしまうことを防ぎ、芳香剤の効果を持続させることが可能となる、薬剤保持器を提供する。  【解決手段】小便器の排水部に配置される薬剤保持器であって、芳香剤を収容する収容部を有する蓋部材と、排水部に付着する尿石を除去するための尿石除去剤を芳香剤よりも低い位置に保持し、蓋部材に着脱可能に装着される薬剤保持部材とを有し、芳香剤は、排水部に常時溜まっている洗浄水の水位よりも高い位置に収容されていることを特徴とする。【選択図】図１
2009052198.tif 000002
【特許請求の範囲】
【請求項１】
小便器の排水部に配置される薬剤保持器であって、
芳香剤を収容する収容部を有する蓋部材と、
前記排水部に付着する尿石を除去するための尿石除去剤を前記芳香剤よりも低い位置に保持し、前記蓋部材に着脱可能に装着される薬剤保持部材とを有し、
前記芳香剤は、前記排水部に常時溜まっている洗浄水の水位よりも高い位置に収容されていることを特徴とする薬剤保持器。
【請求項２】
前記収容部を前記蓋部材の裏側に形成したことを特徴とする請求項１に記載の薬剤保持器。
【請求項３】
前記収容部に収容される芳香剤を支持する支持板を有し、
前記支持板には、前記芳香剤の香りを前記収容部の外部に放出するための複数の放出口が形成されていることを特徴とする請求項１又は２に記載の薬剤保持器。
【請求項４】
前記支持板に取り付けられ、前記芳香剤及び前記蓋部材を貫通して上下方向に延びる支持棒と、
前記支持棒の上端部に形成された縮径部に係合して、前記支持棒を吊持する固定部材とを有することを特徴とする請求項３に記載の薬剤保持器。
【請求項５】
前記薬剤保持部材には、前記排水部内の洗浄水を流入及び流出させるための複数の開口部が形成されていることを特徴とする請求項１乃至４のうちいずれか一つに記載の薬剤保持器。
【発明の詳細な説明】
【技術分野】
【０００１】
本発明は、小便器に使用される薬剤保持器に関し、特に、尿石を除去するための尿石除去剤とともに、香りを付加するための芳香剤を収容する薬剤保持器に関する。
【背景技術】
【０００２】
男性用小便器の鉢底排水部には、排水部として、排水口や、排水管の一部を湾曲させるとともに一定量の水が常時たまっているトラップ部が接続されている。このトラップ部には、鉢底排水部を介して尿が流れ込むため、臭いの発生原因となる尿石が付着しやすい。
【０００３】
そこで、尿石を除くことを目的としてトラップ部の洗浄を行うための薬剤保持器が種々提案されている（例えば特許文献１）。その一例を図５に示す。同図において、１００１は小便器の鉢底排水部であり、鉢底排水部１００１の底部には排水口１００２が設けられている。１００３は、鉢底排水部１００１の下側に設けられたトラップ部であり、このトラップ部１００３には排水口１００２を介して尿や洗浄水が流れ込む。
【０００４】
１００４は、排水口１００２に設置される目皿である。目皿１００４は、内部が空洞になっており、上面部及び下面部にはそれぞれ開口部１００４ａ、１００４ｂを備えている。１００５は、固形薬剤を保持している固形薬剤保持具であり、洗浄水の流入及び流出を可能とするために多数の開口部１００５ａを有する。固形薬剤保持具１００５は、少なくともその下部が、トラップ部１００３に常時たまっている洗浄水の水位以下となるように接触しており、固形薬剤１００６が常時洗浄水と接触するようにしている。１００７は、固形薬剤保持具１００５の上部から突出して設けられた傘状のフック部である。フック部１００７の頂部は、開口部１００５ｂの上側の周縁部に係止されている。
【０００５】
ところで、排泄を行うときにおいて、便器使用者が臭いをできるだけ感じないようにするためには、尿石を除いて臭いの元を少なくすることのほかに、人間が一般に好む香りを付加することにより、当該香りを臭いよりも意識するように促すことが考えられる。そのために、種々の芳香剤が用いられている。
【０００６】
芳香剤を男性用便器に適用する場合、鉢底排水部付近に配置することが考えられる。当該位置に配置すると便器内から洗浄水の流れによって空気の流れが生じることにより、芳香剤の香りが伝達される。便器内から拡がる香りは、爽快感、爽やか感を演出する効果がある。また、排水口、トラップ部を経由して拡散してくる悪臭を感じにくくするはたらきもある。
【０００７】
しかしながら、固形の芳香剤を男性用小便器の鉢底排水部付近にそのまま配置した場合、便器を洗浄する度に芳香剤が洗浄水に浸かり、短期間でその芳香作用が失われてしまう。また、芳香剤の表面に尿石が付着することにより、かえって悪臭を放つようになるため、好ましくない。
【０００８】
一方、上述した固形薬剤保持具に芳香剤を併せて保持させた場合は、芳香剤が常に洗浄水と接触することとなる。その結果、芳香剤が洗浄液に溶解してしまい、芳香剤の効果は早期に消失する。また、芳香剤の交換周期が短くなり、メンテナンスに手間と費用がかかるという問題もある。さらに、上述した尿石の付着の問題も解決することができない。
【特許文献１】特開平１０−８５２６号公報
【発明の開示】
【発明が解決しようとする課題】
【０００９】
本発明はこのような事情に基づきなされたものであり、芳香剤の製品寿命を延ばすことを目的とする。
【課題を解決するための手段】
【００１０】
本発明は、小便器の排水部に配置される薬剤保持器であって、芳香剤を収容する収容部を有する蓋部材と、排水部に付着した尿石を除去するための尿石除去材を保持するとともに、蓋部材に吊り持ち支持される薬剤保持部材とを有し、収容部における芳香剤の収容位置は、排水部に常時溜まっている洗浄水の水位よりも高いことを特徴とする。   
【発明の効果】
【００１１】
本発明によれば、排水部に常時溜まっている洗浄水と芳香剤との接触を防止できるため、洗浄水による芳香剤の溶解を防止できる。これにより、芳香剤の寿命を延ばすことができる。
【発明を実施するための最良の形態】
【００１２】
以下、図面を用いて本発明の好ましい実施形態について詳しく説明する。
【００１３】
本実施形態に係る薬剤保持器は、小便器の排水部に配置される薬剤保持器であって、芳香剤を収容する収容部を有する蓋部材と、排水部に付着した尿石を除去するための尿石除去材を保持するとともに、蓋部材に吊り持ち支持される薬剤保持部材とを有する。
【００１４】
蓋部材の収容部における芳香剤の収容位置は、小便器の排水部に常時溜まっている洗浄水の水位よりも高い。これにより、非洗浄時においては、芳香剤は洗浄水と接触することがなく、また、便器の洗浄が行われるときにおいても、洗浄水には接触しないか、若しくは接触しても短時間であるので、芳香剤が洗浄水に溶解することはほとんどなく、芳香剤の香りが早期に消失してしまうことを防ぐことができる。また、芳香剤は蓋部材に収容されているため、そのまま鉢底排水部付近に直接に配置される場合と比較して、芳香剤への尿石の付着を防ぐことが可能である。
【００１５】
まず、図１は、本実施形態の薬剤保持器を使用した小便器洗浄システムを示す。同図において、１は小便器、２は小便器の下部に設けられた鉢底排水部である。
【００１６】
３と４は、小便器の排水部である、排水口とトラップ部である。排水口３は、鉢底部の中央に設けられ、小便器に流入した洗浄水を排出する。トラップ部４は、排水口３に接続された湾曲状の形状を有し、内部には非洗浄時においても一定量の水が溜まっている。これにより、後述する排水管５から発生する悪臭が小便器の外部に漏れ出すのを防止している。なお、本実施形態では、トラップ部４を小便器１中に内蔵しているが、小便器１の外部に設けてもよい。
【００１７】
５は、トラップ部４に接続されて、このトラップ部４に流入した洗浄水や尿を排出する排水管である。２０は、図２において詳述する、本実施形態の薬剤保持器であり、小便器の排水部、すなわち排水口３及びトラップ部４に配置される。
【００１８】
図１に示すように、本実施形態においては、芳香剤が薬剤保持器２０によって収容されている。これにより、芳香剤を鉢底排水部２付近に直接配置した場合と異なり、尿石の付着を防ぐことができる。さらに、本実施形態においては、後述する芳香剤が薬剤保持器２０の蓋部材の裏側に形成された収容部に収容されている。よって、尿等が芳香剤に接触する場合でも、直接芳香剤に当たるのではなく、便器などに一端当たってから接触するため、そのまま配置する場合に起こる、尿等による衝撃で芳香剤が割れるなどの問題を回避することが可能である。
【００１９】
次に、図２、図３、及び図４を用いて、本実施形態の薬剤保持器２０の構造を詳細に説明する。
【００２０】
図２は、本実施形態の薬剤保持器の側面図であり、図３は分解斜視図である。また、図４は薬剤保持器に係る蓋部材の裏面の斜視図である。
【００２１】
これらの図において、２１は蓋部材であり、芳香剤２６が収容される。また、３１は薬剤保持部材である。
【００２２】
図３に示すように、蓋部材２１は、中央が隆起した円盤形状の蓋部材本体２２を有しており、この蓋部材本体２２の平面視中央には、上下方向に延びる貫通穴２３が形成されている。また、図４に示すように、蓋部材２１の裏側には、蓋部材本体２２の裏側から下方に突出した円筒状の収容部２４が一体形成されている。さらに、収容部２４の水平方向外面には、取り付け突起部２５が周方向２箇所に形成されており、この取り付け突起部２５を介して蓋部材２１を薬剤保持部材３１に装着することができる（詳細は後述する）。
【００２３】
収容部２４内に配置される芳香剤２６は、収容部２４の内径寸法よりも僅かに寸法の小さい円盤形状の支持板２７により支持されている。この支持板２７には、複数の放出口２７ａが形成されており、この放出口２７ａを介して芳香剤２６の香りが収容部２４の外部に放出され、小便器周辺の悪臭による不快感を軽減させることができる。
【００２４】
また、便器洗浄時にトラップ部４に流入した洗浄水は、支持板２７に当接するため、収容部２４の内部に洗浄水を流入しにくくさせることができる。
【００２５】
このように、放出口２７ａが形成された支持板２７の上に芳香剤２６を載置することにより、芳香剤２６の香り放出及び洗浄水の流入抑制という二つの技術的な課題を解決することができる。
【００２６】
放出口２７ａの口径寸法は、製品寿命に達する前に縮小した芳香剤２６が放出口２７ａから落下しないような大きさに設定されていればよい。
【００２７】
図１に図示するように、蓋部材２１は、トラップ部４に常時溜まっている洗浄水よりも高い位置に配置されている。これにより、芳香剤２６と洗浄水との接触を防止して、芳香剤２６の製品寿命を延ばすことができる。
【００２８】
支持板２７の平面視中央には、支持板２７を吊り持ち支持するための支持棒２８が結合されている。
【００２９】
この支持板２８は、芳香剤２６を貫通するとともに、蓋部材２１の貫通穴２３を通って蓋部材２１の上側から突出した状態となっている。
【００３０】
支持板２８の上端部には、他の部分よりも径寸法の小さい縮径部２８ａが形成されており、この縮径部２８ａに固定部材２９を滑り込ませることにより、固定部材２９を介して支持棒２８及び支持板２７を蓋部材２１に固定することができる。
【００３１】
一方、本実施形態に係る薬剤保持部材３１は、底部に固形薬剤３２が載置される、しぼり形状の有底部材であり、側面部、及び底部に複数の通水部３４が形成されている。言い換えれば、薬剤保持部材３１は、格子状の形状を有している。また、薬剤保持部材３１の上側は開放されており、上端部には周方向に延びるとともに内側に突出したつば部３３が形成されており、当該つば部３３には切欠部３３ａが形成されている。
【００３２】
次に、小便器排水口に薬剤保持器を設置する設置方法について説明する。
【００３３】
まず、蓋部材２１に形成された取り付け突起部２５とつば部３３の切欠部３３ａとの位相を合わせ、蓋部材２１を下方に移動させる（薬剤保持部材３１に接近させる）。
【００３４】
このとき、蓋部材２１の取り付け突起部２５は、切欠部３３ａを通って、薬剤保持部材３１の内側の領域に進入する。
【００３５】
次に、支持棒２８を回転中心軸として蓋部材２１又は薬剤保持部材３１を水平方向に回転させ、取り付け突起部２５を切欠部３３ａと異なる位置に移動させる。
【００３６】
これにより、取り付け突起部２５の上端面とつば部３３の背面とが当接して、薬剤保持部材３１を蓋部材２１に吊り持ち支持させることができる。
【００３７】
次に、これらのユニット化された蓋部材２１及び薬剤保持部材３１を小便器排水部に設置する。
【００３８】
具体的には、小便器排水口３からトラップ部４の内部に薬剤保持部材３１を挿入し、薬剤保持部材３１の外壁を小便器排水口３に当接させる。このとき、薬剤保持部材３１に保持されている固形薬剤３２の一部は、トラップ部４に常時溜まっている洗浄水に浸漬する。これにより、固形薬剤３２が溶解して、トラップ部４に尿石が付着するのを防止することができる。
【００３９】
なお、トラップ部４に常時溜まっている洗浄水の水位よりも高い位置に、固形薬剤３１を配置してもよい。この場合、便器洗浄のときにトラップ部４に進入する洗浄水によって、固形薬剤３１は溶解されることとなる。
【００４０】
次に、薬剤保持器による洗浄動作について説明する。
【００４１】
非洗浄時においては、以下のように作用する。上述するように、小便器１の排水口３からつながるトラップ部４には、常時洗浄水が貯留している。よって、排水口３及びトラップ部４に配置された本実施形態の薬剤保持器２０の薬剤保持部材内部には、通水口３４を介して当該洗浄水が流入及び流出するため、収容されている固形薬剤３２が洗浄水中に溶解する。
【００４２】
一方、芳香剤２６の収容部２４は洗浄水の水位より高い位置にあるため、トラップ部４に常時溜まっている洗浄水が芳香剤２６に接触することはない。言い換えれば、芳香剤２６は、非洗浄時において、洗浄水中に溶解しない。
【００４３】
これに対し、小便器１を洗浄するときには以下のように作用する。まず、用をたした便器使用者により、便器洗浄が指示されると、小洗浄水給水部（不図示）から小便器１に便器洗浄水が供給される。この便器洗浄水は、小便器1の内周面を洗浄しながら鉢底排水部２に流入し、排水口３を介してトラップ部４に流入する。
【００４４】
通常、給水される洗浄水は、小便器の鉢底排水部２などを洗浄するために、トラップ部４の容量を超える量で供給される。したがって、洗浄水はトラップ部４から溢れ出し、鉢底排水部２に貯留する。一定時間経過後、洗浄水はトラップ部４から配水管５を通って流出するため、小便器１の鉢底排水部２に溢れていた水もトラップ部に流出して、非洗浄時の水位に戻る。
【００４５】
洗浄水が鉢底排水部に貯留するとき、洗浄水が薬剤保持部材３１の開口部３４を介して、非洗浄時以上の容量で薬剤保持器２０内部に流れ込む。しかしながら、上述したように芳香剤は排水部よりも高い位置で収容されるため、流れ込んだ洗浄水に接触しないか、若しくは、接触したとしても、鉢底排水部に直接配置した場合や尿石除去剤と同位置で保持した場合と比較して、短時間となる。よって、洗浄水に芳香剤が溶解する量は、それらの場合と比較して少ない。
【００４６】
なお、本実施形態においては、薬剤保持部材を有底のしぼり形状としているが、これに限定されるものではない。例えば、排水口の口径よりも大きい直径を有する円筒型の形状として、排水口を覆うように配置することにより、芳香剤が排水部に常時溜まっている洗浄水の水位よりも高い位置に収容されるようにしてもよい。
【００４７】
また、本実施形態において芳香剤を支持する支持板は円盤形状を有しているが、これに限定されるものではなく、他の形状とすることが可能である。支持板の大きさについても、洗浄のときに洗浄水が芳香剤に接触する限り、また、収容部が蓋部材の裏側に設けられる場合には、蓋部材への薬剤保持部材の装着を妨げない限り、特に限定されず、任意の大きさとすることが可能である。
【図面の簡単な説明】
【００４８】
【図１】本実施形態の薬剤保持器が小便器に配置された状態を示す図である。
【図２】本実施形態の薬剤保持器の斜視図である。
【図３】本実施形態の薬剤保持器の分解斜視図である。
【図４】本実施形態の薬剤保持器に係る蓋部材の裏面の正面図である。
【図５】従来の薬剤保持器を詳細に示した図である。
【符号の説明】
【００４９】
２０    薬剤保持器
２１    蓋部材
２４    収納部
２７    支持板
２７a   放出口
３１    薬剤保持部
【図１】
2009052198.tif 000003
【図２】
2009052198.tif 000004
【図３】
2009052198.tif 000005
【図４】
2009052198.tif 000006
【図５】
2009052198.tif 000007